(57)【要約】【課題】回収飲料容器の粉砕物から製造された再生フィルムを、各種条件を満足する封筒本体として利用できるようにし、石油資源枯渇の抑止を図る。【解決手段】封筒本体２を、分別回収された使用済みポリエチレンテレフタレート樹脂製飲料容器の粉砕物のみを材料としてなる再生ポリエチレンテレフタレート樹脂製の透視可能なフィルムから構成した。【選択図】      図１
2004299752.tif 000002
【特許請求の範囲】
【請求項１】
封筒本体が、分別回収された使用済みポリエチレンテレフタレート樹脂製飲料容器の粉砕物のみを材料としてなる、再生ポリエチレンテレフタレート樹脂製の透視可能なフィルムであることを特徴とする封筒。
【請求項２】
上記封筒本体のヘイズ値が５〜２０％の範囲である請求項１に記載の封筒。
【請求項３】
上記封筒本体のＰＣＳ値が０．５以上である請求項１または２記載の封筒。
【請求項４】
上記封筒本体の所定部にエンボス加工が施されてなる請求項１から３の何れか一項に記載の封筒。
【発明の詳細な説明】
【０００１】
【発明の属する技術分野】
本発明は封筒に関するものである。
【０００２】
【従来の技術】
近年、封筒の形態の一つとして封筒本体を透視可能な合成樹脂製フィルムからなるもの、例えばポリエチレンフィルムやポリプロピレンフィルム、ポリエステルフィルムなどとし、パンフレットやカタログなどの収容物が見えて、開封しようという気持ちを受取人に生じさせ易い形態として多く流通している。そしてこのタイプの封筒では収容物の外表面となる面に宛て先情報などが印刷、印字されており、封筒本体の合成樹脂製フィルムを通してその宛て先情報なども目視にて、また、機械読み取りにて確認できるようにしている。（例えば、特許文献１参照）。
【０００３】
【特許文献１】
特開２０００−２１９２４５（段落番号００１９、図１）
【０００４】
【発明が解決しようとする課題】
しかしながら、封筒本体に用いる合成樹脂フィルムは石油精製材料から製造され純正ペレットを材料としているものであり、透視可能な合成樹脂製フィルムからなるこの封筒がダイレクトメールなどとして多く消費される現状に考えると、この封筒の利用が石油資源の枯渇原因の一つになり得る点が問題視されるようになってきている。
一方、現在、ポリエチレンテレフタレート樹脂製の飲料容器として利用されていた容器の分別回収システムが軌道に乗り、回収容器を粉砕して得られたフレークを材料として各種の再生ポリエチレンテレフタレート製品が製造されるようになってきている。
そこで本発明者は、回収飲料容器の粉砕物から各種のポリエチレンテレフタレート樹脂製品が製造されている現状に着目したものであり、回収飲料容器の粉砕物から製造されたフィルムを、各種条件を満足すべき封筒として利用できるようにすることを課題とし、石油資源枯渇の抑止に寄与することを目的とする。
【０００５】
【課題を解決するための手段】
本発明は上記課題を考慮してなされたもので、封筒本体が、分別回収された使用済みポリエチレンテレフタレート樹脂製飲料容器の粉砕物のみを材料としてなる、再生ポリエチレンテレフタレート樹脂製の透視可能なフィルムであることを特徴とする封筒を提供して、上記課題を解消するものである。
また、本発明においては、適度な不透明性を有しつつ上記フィルムを介して内部の情報を読み取るために、封筒本体のヘイズ値が５〜２０％の範囲であることが好適であり、さらに、封筒本体のＰＣＳ値が０．５以上であることも好適である。そして、上記フィルムの透明性の調整や印刷適性を付与するためには、封筒本体にエンボス加工を施すのが良い。
【０００６】
【発明の実施の形態】
つぎに本発明を図１に示す実施の形態に基づいて詳細に説明する。
図中１は封筒で、該封筒１は、透視可能な合成樹脂フィルムからなる封筒本体２の内側に収容物が配されてなるものであり、収容物を合成樹脂製フィルムにて包み込むようにしながら封筒裏面側でその合成樹脂製フィルムをヒートシールするとともに上下辺で合成樹脂製フィルムをヒートシールすることによって封止されているものである。
本発明において上記封筒本体２は透視可能なポリエチレンテレフタレート樹脂製のフィルムから製造されたものであり、そして、封筒本体２を得るために用いたポリエチレンテレフタレート樹脂製のフィルムは、廃棄物として分別回収された使用済みポリエチレンテレフタレート樹脂製飲料容器の粉砕物のみを材料として再生されたものである。
【０００７】
上記ポリエチレンテレフタレート樹脂製フィルムを製造するには、まず、廃棄物として分別回収されたポリエチレンテレフタレート樹脂製の飲料容器からキャップやラベルを除去し、粉砕し、乾燥してフレークを製作する。飲料容器の本体に印刷が施されている場合、この印刷インキを除去することが良質のフレークを得る上で必要である。そのため、使用済み飲料容器を充分に水洗いしてから弱アルカリ性の洗浄水を用いて洗浄してから温水にて水洗いする。そして、この飲料容器を乾燥させてから粉砕する。この粉砕により得られたフレークを約２００℃に加熱して溶融させ、溶融押し出し機械によりフィルム状にして押し出された無延伸のポリエチレンテレフタレート樹脂を、エンボスロールにかけて表面にエンボス加工が施されたポリエチレンテレフタレート樹脂製フィルムを製作する。前記エンボスロールは、フィルム状にして押し出されるポリエチレンテレフタレート樹脂が接する部分が水冷により約２０℃に設定されており、エンボスロールにかけられるフィルム状のポリエチレンテレフタレート樹脂を急速に冷却している。また、エンボスロールの外周面は４２０メッシュでの微細な凹凸を表面に備えるシリコンゴムを胴体に巻装することにより形成されていて、フィルムのローラ側への貼り付けを防止しながらエンボス加工が施されたフィルムが得られるようにしている。
なお、本発明ではエンボス加工は必ずしも必要としないが、設ける場合には、フィルムの片面のみでも、あるいは両面に施すようにしてもよい。
【０００８】
上述のようにして製作されたポリエチレンテレフタレート樹脂製のフィルムは上記エンボス加工が施されたものとなっていることから、表面の微細な凹凸によってフィルムが印刷適性を有し、さらに、所定のヘイズ値も設定できる。そして、前記フィルムを原反シートとしてなる封筒本体２のエンボス加工が施された面を外方となるようにして封筒１が形成されている。
【０００９】
収容する収納物３には、その外表面に白地の宛て先情報記載部４が設けられており、本封筒１では前記宛て先情報記載部４に印刷、印字された宛て先情報、カスタマーバーコードなどが外部から目視及び機械読み取りできる条件を満足するように設定されているものである。勿論、封筒本体２に収容物３とは別に情報出力台紙が入れられて、その情報出力台紙に宛て先情報やカスタマーバーコードなどが印字、印刷されている場合でも同様に外部から目視及び機械読み取りできる条件を満足するようにしている。
まず、封筒本体２の厚さは、通常では、２５〜３０μｍとしている。さらに、このような通常の厚さでは、使用済みポリエチレンテレフタレート樹脂製飲料容器の粉砕物のみを材料としてなるポリエチレンテレフタレート樹脂製の透視可能なフィルムで封筒本体２を得るために、特に調整する必要はなく、全光線透過率が目視、機械読み取りが適正に行なえる値となるものである。
【００１０】
上記厚さの封筒本体２が、収容物側に記載した情報の読み取りができる包装材として適正であることの検討を、原反シート形態とした以下の実施例１と比較例１との対比によって行なった。
実施例１は、上述したように廃棄物として分別回収された使用済みポリエチレンテレフタレート樹脂製飲料容器の粉砕物のみを材料としたポリエチレンテレフタレート樹脂製の透視可能なフィルムであり、厚さが３０μｍである。また、比較例１は純正ペレットから製造されたポリエチレンテレフタレート樹脂製の透視可能なフィルムであり、厚さを３０μｍとした。
【００１１】
【表１】
2004299752.tif 000003
【００１２】
上記表１に示されているように本発明の封筒の封筒本体である実施例１と比較例１と比較して若干強度が劣るももの実用上では全く問題にはならない程度である。また、透明性やヘイズ値も良好なものであり、収容物に記載された宛て先情報を充分に目視したり機械読み取りできるものであることが判断できる。なお、上記実施例１においてヘイズ値を５．５％としたが、収容物を見易くしその収容物に記載されている情報が読み易くする上で、好ましくは５〜２０％の範囲が良く、このような範囲にするには、例えば、フィルムの厚さを２０μｍ程度にして、さらに、印刷適性は劣るが、フィルムにエンボス加工を施さないようにしても良い。
【００１３】
上記封筒本体は、表面に微細なエンボス加工を施して封筒外方から行なう印字、印刷に対しての適性を有するものとなっている。また収容物に出力されたカスタマーバーコードなどの情報をこの封筒本体を通して明確に表示できるようになるものである。
出力された情報の読み取り度合いを、以下に示す三例に出力したカスタマーバーコードの読み取り判定（基準とされるＰＣＳと計測されたＰＣＳ値との対比によるもの）から検討した。
実施例２は封筒本体が上記実施例１のフィルムからなる封筒である。
比較例２は封筒本体が厚さ３０μｍの延伸ポリスチレンフィルムからなる封筒である。なお、厚さ３０μｍの延伸ポリスチレンフィルムの全光線透過率はＴ６００で９０、ヘイズ値が２．９のものを使用しており、通常の封筒本体に使用されているものである。
比較例３は封筒本体がワックス含浸紙からなる封筒である。
【００１４】
ＰＣＳは、Ｐｒｉｎｔ  Ｃｏｎｔｒａｓｔ  Ｓｉｇｎａｌの略で、読み取り文字や印刷色の濃さを指し、測定点の反射率とその周囲の白色部分の反射率との相対的な差を表している。封筒本体を通してスタマーバーコードを適正に読み取りできるＰＣＳの値としては、０．５以上であることが必要とされている。
【００１５】
【表２】
2004299752.tif 000004
【００１６】
表２に示された結果から、実施例２の封筒では、収容物に出力したカスタマーバーコードの読み取りが良好に機械読み取りでき、機械読み取り対応の郵便物として適正な封筒となることが判断できる。
【００１７】
【発明の効果】
以上説明したように本発明の封筒によれば、封筒本体が使用済みポリエチレンテレフタレート樹脂製飲料容器の粉砕物のみを材料としてなる再生ポリエチレンテレフタレート樹脂製の透視可能なフィルムから製作されたものであるため、再生フィルムの有効利用が図れ、そして純正フィルムで製作してないため、石油資源の枯渇抑止に大きく寄与することができる。
また、封筒本体のヘイズ値を５〜２０％の範囲とすることで、適度な不透明性と共に封筒本体を介して内部の情報が読み易くなり、さらに、フィルムのＰＣＳ値を０．５以上とすることで、その情報が読み易くなる。そして、封筒本体にエンボス加工を施すことにより、フィルムの透明性の調整や印刷適性を付与できるなどといった実用性に優れた効果を奏するものである。
【図面の簡単な説明】
【図１】封筒の一例を示す説明図である。
【符号の説明】
１…封筒
２…封筒本体
３…収容物
４…宛て先情報記載部
【図１】
2004299752.tif 000005